(57)【要約】【課題】  変調入力信号により振幅変調を行う、変調出力歪が低減されたＡＳＫ変調回路を実現する。【解決手段】  ＡＳＫ変調回路１には、振幅変調部２、増幅部３、及び電流源ＧＥＮ１、２が設けられている。電流源ＧＥＮ２は増幅部３と低電位側電源Ｖｓｓの間に設けられ、変調入力信号を入力し、変調入力信号の信号レベルに応じた入力電流を発生する。増幅部３は、ＶＣＯ５と振幅変調部２の間に設けられ、電流源ＧＥＮ２の入力電流レベルに応じてローカル入力信号の信号レベルを増幅し、この信号を振幅変調部２に出力する。電流源ＧＥＮ１は振幅変調部２と低電位側電源Ｖｓｓの間に設けられ、変調入力信号を入力し、変調入力信号の信号レベルに応じた入力電流を電流源ＧＥＮ２と同様に発生する。振幅変調部２は増幅部３から出力された信号を入力し、電流源ＧＥＮ１の入力電流レベルに応じてローカル入力信号の信号レベルを振幅変調し、ＲＦ変調出力として出力する。【選択図】  図１
2006067467.tif 000002
【特許請求の範囲】
【請求項１】
変調入力信号を入力し、前記変調入力信号の信号レベルに応じて第１の入力電流を発生する第１の電流源と、
ローカル入力信号を入力し、前記第１の電流源の入力電流レベルに応じて増幅動作を行う増幅部と、
前記変調入力信号を入力し、前記変調入力信号の信号レベルに応じて第２の入力電流を発生する第２の電流源と、
前記増幅部からの出力信号を入力し、前記第２の電流源の入力電流レベルに応じて振幅変調動作を行い、変調出力を出力する振幅変調部と
を具備することを特徴とするＡＳＫ変調回路。
【請求項２】
前記増幅部は、差動対をなす第１及び第２のトランジスタを有し、前記ローカル入力信号が前記第１及び第２のトランジスタに入力され、前記振幅変調回路は差動対をなす第３及び第４のトランジスタを有し、前記増幅部からの出力信号が前記第３及び第４のトランジスタに入力されることを特徴とする請求項１に記載のＡＳＫ変調回路。
【請求項３】
一端が低電位側電源に接続され、変調入力信号を入力し、前記変調入力信号の信号レベルに応じて第１の入力電流を発生する第１の電流源と、
高電位側電源側にコレクタが接続され、ベースにローカル入力信号が入力され、エミッタが前記第１の電流源の他端に接続された第１のバイポーラトランジスタと、前記高電位側電源側にコレクタが接続され、ベースに前記ローカル入力信号が入力され、エミッタが前記第１の電流源の他端に接続された第２のバイポーラトランジスタを有し、前記第１及び第２のバイポーラトランジスタが差動対をなし、前記第１の電流源の入力電流レベルに応じて増幅動作を行う第１の増幅部と、
一端が前記低電位側電源に接続され、前記変調入力信号を入力し、前記変調入力信号の信号レベルに応じて第２の入力電流を発生する第２の電流源と、
ベースに前記第２のバイポーラトランジスタのコレクタ側から出力された出力信号を入力し、エミッタが前記第２の電流源の他端に接続された第３のバイポーラトランジスタと、ベースに前記第１のバイポーラトランジスタのコレクタ側から出力された出力信号を入力し、エミッタが前記第２の電流源の他端に接続された第４のバイポーラトランジスタを有し、前記第３及び第４のバイポーラトランジスタが差動対をなし、前記第２の電流源の入力電流レベルに応じて振幅変調動作を行い、変調出力を出力する振幅変調部と
を具備することを特徴とするＡＳＫ変調回路。
【請求項４】
一端が低電位側電源に接続され、変調入力信号を入力し、前記変調入力信号の信号レベルに応じて第１の入力電流を発生する第１の電流源と、
高電位側電源側にコレクタが接続され、ベースにローカル入力信号が入力され、エミッタが前記第１の電流源の他端に接続された第１のバイポーラトランジスタと、前記高電位側電源側にコレクタが接続され、ベースに前記ローカル入力信号が入力され、エミッタが前記第１の電流源の他端に接続された第２のバイポーラトランジスタを有し、前記第１及び第２のバイポーラトランジスタが差動対をなし、前記第１の電流源の入力電流レベルに応じて増幅動作を行う第１の増幅部と、
一端が前記低電位側電源に接続され、前記変調入力信号を入力し、前記変調入力信号の信号レベルに応じて第２の入力電流を発生する第２の電流源と、
前記高電位側電源側にコレクタが接続され、ベースに前記第２のバイポーラトランジスタのコレクタ側から出力された出力信号が入力され、エミッタが前記第２の電流源の他端に接続された第３のバイポーラトランジスタと、前記高電位側電源側にコレクタが接続され、ベースに前記第１のバイポーラトランジスタのコレクタ側から出力された出力信号が入力され、エミッタが前記第２の電流源の他端に接続された第４のバイポーラトランジスタを有し、前記第３及び第４のバイポーラトランジスタが差動対をなし、前記第２の電流源の入力電流レベルに応じて増幅動作を行う第２の増幅部と、
一端が前記低電位側電源に接続され、前記変調入力信号を入力し、前記変調入力信号の信号レベルに応じて第３の入力電流を発生する第３の電流源と、
ベースに前記第４のバイポーラトランジスタのコレクタ側から出力された出力信号を入力し、エミッタが前記第３の電流源の他端に接続された第５のバイポーラトランジスタと、ベースに前記第３のバイポーラトランジスタのコレクタ側から出力された出力信号を入力し、エミッタが前記第３の電流源の他端に接続された第６のバイポーラトランジスタを有し、前記第５及び第６のバイポーラトランジスタが差動対をなし、前記第３の電流源の入力電流レベルに応じて振幅変調動作を行い、変調出力を出力する振幅変調部と
を具備することを特徴とするＡＳＫ変調回路。
【請求項５】
高電位側電源側にコレクタが接続され、ベースにローカル入力信号が入力され、エミッタが低電位側電源側に接続された第１のバイポーラトランジスタと、前記高電位側電源側にコレクタが接続され、ベースに前記ローカル入力信号が入力され、エミッタが前記低電位側電源側に接続された第２のバイポーラトランジスタを有し、前記第１及び第２のバイポーラトランジスタが差動対をなし、前記第１のバイポーラトランジスタのベースと前記ローカル入力信号の間の接続ノードに変調入力信号が入力され、前記第２のバイポーラトランジスタのベースと前記ローカル入力信号の間の接続ノードに前記変調入力信号され、前記変調入力信号の信号レベルに応じて増幅動作を行う増幅部と、
前記変調入力信号を入力し、前記変調入力信号の信号レベルに応じて入力電流を発生する電流源と、
ベースに前記第２のバイポーラトランジスタのコレクタ側から出力された出力信号を入力し、エミッタが前記電流源に接続された第３のバイポーラトランジスタと、ベースに前記第１のバイポーラトランジスタのコレクタ側から出力された出力信号を入力し、エミッタが前記電流源に接続された第４のバイポーラトランジスタを有し、前記第３及び第４のバイポーラトランジスタが差動対をなし、前記電流源の入力電流レベルに応じて振幅変調動作を行い、変調出力を出力する振幅変調部と
を具備することを特徴とするＡＳＫ変調回路。
【発明の詳細な説明】
【技術分野】
【０００１】
本発明は、変調入力信号により振幅変調を行うＡＳＫ（Amplitude  Shift  Keying）変調回路に関する。
【背景技術】
【０００２】
ＡＳＫ変調は、構成が簡略な変調法であり、ＡＳＫ変調回路を構成する変調用素子には、直線特性を有するバイポーラトランジスタ、ＦＥＴや非線形特性を有するＰＩＮダイオードなどが用いられている（例えば、特許文献１参照。）。
【０００３】
ところが、ＡＳＫ変調回路をＧＨｚ以上の領域に適用した場合、直線特性及び高周波特性に優れたバイポーラトランジスタ或いはＦＥＴを変調用素子に用いても、ローカル入力信号の信号レベルに比較して変調入力信号の信号レベルが大きくなると変調出力歪が発生しやすいという問題点がある。一方、ローカル入力信号の信号レベルに比較して変調入力信号の信号レベルが小さくなるとＲＦ出力側にローカル入力信号が漏れ出して変調度が低下しやすいという問題点がある。
【特許文献１】特開２００２−１５６７１４号公報（頁９、図１２）
【発明の開示】
【発明が解決しようとする課題】
【０００４】
本発明は、変調入力信号により振幅変調を行う、変調出力歪が低減されたＡＳＫ変調回路を提供する。
【課題を解決するための手段】
【０００５】
上記目的を達成するために、本発明の一態様のＡＳＫ変調回路は、変調入力信号を入力し、前記変調入力信号の信号レベルに応じて第１の入力電流を発生する第１の電流源と、ローカル入力信号を入力し、前記第１の電流源の入力電流レベルに応じて増幅動作を行う増幅部と、前記変調入力信号を入力し、前記変調入力信号の信号レベルに応じて第２の入力電流を発生する第２の電流源と、前記増幅部からの出力信号を入力し、前記第２の電流源の入力電流レベルに応じて振幅変調動作を行い、変調出力を出力する振幅変調部とを具備することを特徴とする。
【０００６】
更に、上記目的を達成するために、本発明の他態様のＡＳＫ変調回路は、一端が低電位側電源に接続され、変調入力信号を入力し、前記変調入力信号の信号レベルに応じて第１の入力電流を発生する第１の電流源と、高電位側電源側にコレクタが接続され、ベースにローカル入力信号が入力され、エミッタが前記第１の電流源の他端に接続された第１のバイポーラトランジスタと、前記高電位側電源側にコレクタが接続され、ベースに前記ローカル入力信号が入力され、エミッタが前記第１の電流源の他端に接続された第２のバイポーラトランジスタを有し、前記第１及び第２のバイポーラトランジスタが差動対をなし、前記第１の電流源の入力電流レベルに応じて増幅動作を行う第１の増幅部と、一端が前記低電位側電源に接続され、前記変調入力信号を入力し、前記変調入力信号の信号レベルに応じて第２の入力電流を発生する第２の電流源と、ベースに前記第２のバイポーラトランジスタのコレクタ側から出力された出力信号を入力し、エミッタが前記第２の電流源の他端に接続された第３のバイポーラトランジスタと、ベースに前記第１のバイポーラトランジスタのコレクタ側から出力された出力信号を入力し、エミッタが前記第２の電流源の他端に接続された第４のバイポーラトランジスタを有し、前記第３及び第４のバイポーラトランジスタが差動対をなし、前記第２の電流源の入力電流レベルに応じて振幅変調動作を行い、変調出力を出力する振幅変調部とを具備することを特徴とする。
【発明の効果】
【０００７】
本発明によれば、変調入力信号により振幅変調を行う、変調出力歪が低減されたＡＳＫ変調回路を提供することができる。
【発明を実施するための最良の形態】
【０００８】
以下本発明の実施例について図面を参照しながら説明する。
【実施例１】
【０００９】
まず、本発明の実施例１に係るＡＳＫ変調回路について、図面を参照して説明する。図１はＡＳＫ変調回路を示すブロック図、図２（ａ）は変調入力信号波形を示す図、図２（ｂ）は振幅変調部及び増幅部の入力電流波形を示す図である。本実施例では、ＡＳＫ変調回路をＥＴＣ（Electronic  Toll  Collections）の路上機の送信部に適用している。
【００１０】
図１に示すように、ＡＳＫ変調回路１には、振幅変調部２、増幅部３、及び電流源ＧＥＮ１、ＧＥＮ２が設けられている。ＡＳＫ変調回路１及びＬＰＦ（Low  Pass  Filter）６はＴｘ部（送信部）７内に配置されている。
【００１１】
図示しない信号処理部から送信されたデータ信号やクロック信号は、ＰＬＬ（Phase  Locked  Loop）４に入力され、ＰＬＬ４から逓倍された信号が出力される。ＰＬＬ４から出力された信号は、ＶＣＯ（Voltage  Controlled  Oscillator）５に入力され、例えば、５．８ＧＨｚのローカル入力信号としてＴｘ部７のＡＳＫ変調回路１及びＲｘ（受信部）に出力される。一方、図示しないＤＡＣ（Digital  to  Analog  Converter）から出力された変調信号は、ＬＰＦ６で波形を整形され変調入力信号としてＡＳＫ変調回路１に出力される。
【００１２】
電流源ＧＥＮ１は、増幅部３と低電位側電源Ｖｓｓの間に設けられ、変調入力信号を入力し、変調入力信号の信号レベルに応じた入力電流を発生する。ここで、変調入力信号は、図２（ａ）に示すように、１周期が約１μｓで、振幅幅が約０．２Ｖである。入力電流は、図２（ｂ）に示すように、変調入力信号の信号レベルに応じて変化し、１周期が約１μｓで、変動幅が３ｍＡである。増幅部３は、ＶＣＯ５と振幅変調部２の間に設けられ、電流源ＧＥＮ１の入力電流レベルに応じてローカル入力信号の信号レベルを増幅し、この信号を振幅変調部２に出力する。
【００１３】
電流源ＧＥＮ２は、振幅変調部２と低電位側電源Ｖｓｓの間に設けられ、変調入力信号を入力し、変調入力信号の信号レベルに応じた入力電流を発生する。振幅変調部２は、増幅部３から出力された信号を入力し、電流源ＧＥＮ２の入力電流レベルに応じてローカル入力信号の信号レベルを振幅変調し、ＲＦ変調出力として、例えば、ＰＡ（Power  Amplifier）に出力する。
【００１４】
次に、ＡＳＫ変調回路の出力特性について図３を参照して説明する。図３（ａ）は従来のＡＳＫ変調回路の出力波形を示す図、図３（ｂ）は本実施例のＡＳＫ変調回路の出力波形を示す図である。ここで、従来のＡＳＫ変調回路では増幅部の電流源に変調入力信号が入力されていない。
【００１５】
図３（ａ）に示すように、従来では、変調入力信号の信号レベルが大きい場合（大振幅時）、ローカル入力信号の信号レベルが振幅変調部２を構成する変調用素子の容量を十分ドライブする能力がないので、変調出力歪が発生する。また、変調入力信号の信号レベルが小さい場合（小振幅時）、必要以上のローカル入力信号が振幅変調部２に入力されるので、ＲＦ出力側にローカル入力信号が漏れ出して変調度が低下する。なお、変調度Ｍは、
Ｍ＝（Ｖｍａｘ−Ｖｍｉｎ）／（Ｖｍａｘ＋Ｖｍｉｎ）・・・・・式（１）
で表すことができ、Ｖｍａｘは最大変調出力電圧、Ｖｍｉｎは最小変調出力電圧である。
【００１６】
一方、図３（ｂ）に示すように、本実施例では、変調入力信号の信号レベルが大きい場合（大振幅時）、増幅部３でローカル入力信号の信号レベルが変調入力信号の信号レベルに応じて大きくなり、振幅変調部２を構成する変調用素子の容量を十分ドライブする能力ができるので、変調出力歪を抑制することができる。また、変調入力信号の信号レベルが小さい場合（小振幅時）、増幅部３でローカル入力信号の信号レベルが変調入力信号の信号レベルに応じて小さくなり、必要以上のローカル入力信号が振幅変調部２に入力されないので、ＲＦ出力側にローカル入力信号が漏れ出すことがなく変調度の低下を抑制することができる。
【００１７】
上述したように、本実施例のＡＳＫ変調回路では、ローカル入力信号を入力し、変調入力信号を入力する電流源ＧＥＮ１から供給される入力電流により増幅した信号を出力する増幅部３と、増幅部３から出力された信号を入力し、変調入力信号を入力する電流源ＧＥＮ２から供給される入力電流によりローカル入力信号の信号レベルを振幅変調し、ＲＦ変調出力として出力する振幅変調部２が設けられている。このため、変調入力信号の信号レベルが大きい場合、増幅部３でローカル入力信号の信号レベルが変調入力信号の信号レベルに応じて大きくなるので、変調出力歪を抑制することができる。また、変調入力信号の信号レベルが小さい場合、増幅部３でローカル入力信号の信号レベルが変調入力信号の信号レベルに応じて小さくなり、必要以上のローカル入力信号が振幅変調部２に入力されないので、変調度の低下を抑制することができる。
【実施例２】
【００１８】
次に、本発明の実施例２に係るＡＳＫ変調回路について、図面を参照して説明する。図４はＡＳＫ変調回路を示す回路図である。本実施例では、バイポーラトランジスタを用いてＡＳＫ変調回路の回路構成をしている。
【００１９】
以下、実施例１と同一構成部分には、同一符号を付してその部分の説明を省略し、異なる部分のみ説明する。
【００２０】
図４に示すように、ＡＳＫ変調回路１ａには、振幅変調部２ａ、増幅部３ａ、及び電流源ＧＥＮ１、ＧＥＮ２が設けられている。増幅部３ａは、バイポーラトランジスタＢｉｐ１、Ｂｉｐ２、及び抵抗Ｒ１、Ｒ２から構成されている。抵抗Ｒ１は、一端が高電位側電源Ｖｃｃに接続され、他端がバイポーラトランジスタＢｉｐ１のコレクタに接続されている。バイポーラトランジスタＢｉｐ１は、ベースに、例えば、５．８ＧＨｚのローカル入力信号が入力され、エミッタが電流源ＧＥＮ１に接続されている。抵抗Ｒ２は、一端が高電位側電源Ｖｃｃに接続され、他端がバイポーラトランジスタＢｉｐ２のコレクタに接続されている。バイポーラトランジスタＢｉｐ２は、ベースに、例えば、５．８ＧＨｚのローカル入力信号が入力され、エミッタが電流源ＧＥＮ１に接続されている。バイポーラトランジスタＢｉｐ１、Ｂｉｐ２は差動対をなし、抵抗Ｒ１とバイポーラトランジスタＢｉｐ１のコレクタ間の接続ノード、及び抵抗Ｒ２とバイポーラトランジスタＢｉｐ２のコレクタ間の接続ノードから増幅された信号が振幅変調部２ａに出力される。そして、電流源ＧＥＮ１は変調入力信号の信号レベルに応じた入力電流を発生し、増幅部３ａはこの入力電流に応じてローカル入力信号の信号レベルを増幅する。
【００２１】
振幅変調部２ａは、バイポーラトランジスタＢｉｐ３、Ｂｉｐ４から構成されている。バイポーラトランジスタＢｉｐ３は、ベースに抵抗Ｒ２とバイポーラトランジスタＢｉｐ２のコレクタ間の接続ノードから増幅された信号を入力し、エミッタが電流源ＧＥＮ２に接続されている。バイポーラトランジスタＢｉｐ４は、ベースに抵抗Ｒ１とバイポーラトランジスタＢｉｐ１のコレクタ間の接続ノードから増幅された信号を入力し、エミッタが電流源ＧＥＮ２に接続されている。そして、バイポーラトランジスタＢｉｐ３、Ｂｉｐ４は差動対をなしている。電流源ＧＥＮ２は、変調入力信号の信号レベルに応じた入力電流を発生し、振幅変調部ａはこの入力電流に応じてローカル入力信号の信号レベルを振幅変調し、ＲＦ変調出力として出力する。
【００２２】
上述したように、本実施例のＡＳＫ変調回路では、ローカル入力信号を入力し、変調入力信号を入力する電流源ＧＥＮ１から供給される入力電流により増幅した信号を出力するバイポーラトランジスタ構成の増幅部３ａと、増幅部３ａから出力された信号を入力し、変調入力信号を入力する電流源ＧＥＮ２から供給される入力電流によりローカル入力信号の信号レベルを振幅変調し、ＲＦ変調出力として出力するバイポーラトランジスタ構成の振幅変調部２ａが設けられている。このため、変調入力信号の信号レベルが大きい場合、増幅部３ａでローカル入力信号の信号レベルが変調入力信号の信号レベルに応じて大きくなるので、変調出力歪を抑制することができる。また、変調入力信号の信号レベルが小さい場合、増幅部３ａでローカル入力信号の信号レベルが変調入力信号の信号レベルに応じて小さくなり、必要以上のローカル入力信号が振幅変調部２ａに入力されないので、変調度の低下を抑制することができる。
【００２３】
なお、本実施例では、ＡＳＫ変調回路１ａに直線特性及び高周波特性に優れたシリコンバイポーラトランジスタ（ＮＰＮトランジスタ）を用いているが、直線特性及び高周波特性に優れた化合物系バイポーラトランジスタ（例えば、ＧａＡｓＨＢＴ、ＩｎＰＨＢＴなど）を用いてもよい。また、直線特性及び高周波特性に優れたＭＯＳＦＥＴやＨＥＭＴなどを用いてもよい。この場合、ローカル入力信号はＭＯＳＦＥＴ或いはＨＥＭＴのゲートに入力される。
【実施例３】
【００２４】
次に、本発明の実施例３に係るＡＳＫ変調回路について、図面を参照して説明する。図５はＡＳＫ変調回路を示す回路図である。本実施例では、増幅部を２段構成にしている。
【００２５】
以下、実施例２と同一構成部分には、同一符号を付してその部分の説明を省略し、異なる部分のみ説明する。
【００２６】
図５に示すように、ＡＳＫ変調回路１ｂには、振幅変調部２ａ、１段目の増幅部３ｂ、２段目の増幅部３ｃ、及び電流源ＧＥＮ２、ＧＥＮ３、ＧＥＮ４が設けられている。１段目の増幅部３ｂは、バイポーラトランジスタＢｉｐ１１、Ｂｉｐ１２、及び抵抗Ｒ１１、Ｒ１２から構成されている。抵抗Ｒ１１は、一端が高電位側電源Ｖｃｃに接続され、他端がバイポーラトランジスタＢｉｐ１１のコレクタに接続されている。バイポーラトランジスタＢｉｐ１１は、ベースに、例えば、５．８ＧＨｚのローカル入力信号が入力され、エミッタが電流源ＧＥＮ３に接続されている。抵抗Ｒ１２は、一端が高電位側電源Ｖｃｃに接続され、他端がバイポーラトランジスタＢｉｐ１２のコレクタに接続されている。バイポーラトランジスタＢｉｐ１２は、ベースに、例えば、５．８ＧＨｚのローカル入力信号が入力され、エミッタが電流源ＧＥＮ３に接続されている。バイポーラトランジスタＢｉｐ１１、Ｂｉｐ１２は差動対をなし、抵抗Ｒ１１とバイポーラトランジスタＢｉｐ１１のコレクタ間の接続ノード、及び抵抗Ｒ１２とバイポーラトランジスタＢｉｐ１２のコレクタ間の接続ノードから増幅された信号が２段目の増幅部３ｃに出力される。そして、電流源ＧＥＮ３は変調入力信号の信号レベルに応じた入力電流を発生し、１段目の増幅部３ｂはこの入力電流に応じてローカル入力信号の信号レベルを増幅する。
【００２７】
２段目の増幅部３ｃは、バイポーラトランジスタＢｉｐ１３、Ｂｉｐ１４、及び抵抗Ｒ１３、Ｒ１４から構成されている。抵抗Ｒ１３は、一端が高電位側電源Ｖｃｃに接続され、他端がバイポーラトランジスタＢｉｐ１３のコレクタに接続されている。バイポーラトランジスタＢｉｐ１３は、ベースに抵抗Ｒ１２とバイポーラトランジスタＢｉｐ１２のコレクタ間の接続ノードから出力された信号が入力され、エミッタが電流源ＧＥＮ４に接続されている。抵抗Ｒ１４は、一端が高電位側電源Ｖｃｃに接続され、他端がバイポーラトランジスタＢｉｐ１４のコレクタに接続されている。バイポーラトランジスタＢｉｐ１４は、ベースに抵抗Ｒ１１とバイポーラトランジスタＢｉｐ１１のコレクタ間の接続ノードから出力された信号が入力され、エミッタが電流源ＧＥＮ４に接続されている。バイポーラトランジスタＢｉｐ１３、Ｂｉｐ１４は差動対をなし、抵抗Ｒ１３とバイポーラトランジスタＢｉｐ１３のコレクタ間の接続ノード、及び抵抗Ｒ１４とバイポーラトランジスタＢｉｐ１４のコレクタ間の接続ノードから増幅された信号が振幅変調部２ａに出力される。そして、電流源ＧＥＮ４は変調入力信号の信号レベルに応じた入力電流を発生し、２段目の増幅部３ｃはこの入力電流に応じてローカル入力信号の信号レベルを増幅する。そして、２段目の増幅部３ｃから出力された出力信号は振幅変調部２ａに入力される。
【００２８】
上述したように、本実施例のＡＳＫ変調回路では、ローカル入力信号を入力し、変調入力信号を入力する電流源ＧＥＮ３から供給される入力電流により増幅した信号を出力するバイポーラトランジスタ構成の１段目の増幅部３ｂと、１段目の増幅部３ｂから出力される出力信号を入力し、変調入力信号を入力する電流源ＧＥＮ４から供給される入力電流により増幅した信号を出力するバイポーラトランジスタ構成の２段目の増幅部３ｃと、２段目の増幅部３ｃから出力された信号を入力し、変調入力信号を入力する電流源ＧＥＮ１から供給される入力電流によりローカル入力信号の信号レベルを振幅変調し、ＲＦ変調出力として出力するバイポーラトランジスタ構成の振幅変調部２ａが設けられ、増幅部が２段構成になっている。このため、実施例１よりも、変調入力信号の信号レベルが大きい場合変調出力歪を更に抑制することができ、また、変調入力信号の信号レベルが小さい場合変調度の低下を更に抑制することができる。
【実施例４】
【００２９】
次に、本発明の実施例４に係るＡＳＫ変調回路について、図面を参照して説明する。図６はＡＳＫ変調回路を示す回路図である。
【００３０】
以下、実施例２と同一構成部分には、同一符号を付してその部分の説明を省略し、異なる部分のみ説明する。
【００３１】
図６に示すように、ＡＳＫ変調回路１ｃには、振幅変調部２ａ、増幅部３ｄ、及び電流源ＧＥＮ２が設けられている。なお、増幅部３ｄと低電位側電源Ｖｓｓの間には、変調入力信号を入力し、変調入力信号の信号レベルに応じた入力電流を発生する電流源は設けられていない。増幅部３ｄは、バイポーラトランジスタＢｉｐ１、Ｂｉｐ２、抵抗Ｒ１、Ｒ２、及び抵抗Ｒ２１乃至Ｒ２３から構成され、バイポーラトランジスタＢｉｐ１、Ｂｉｐ２、及び抵抗Ｒ１、Ｒ２の部分は増幅部３ａと同一構成である。抵抗Ｒ２１は、一端がバイポーラトランジスタＢｉｐ１、Ｂｉｐ２のエミッタに接続され、他端が低電位側電源Ｖｓｓに接続されている。抵抗Ｒ２２は、一端がバイポーラトランジスタＢｉｐ２のベースとローカル入力信号の間の接続ノードに接続され、他端に変調入力信号が入力される。抵抗Ｒ２３は、一端がバイポーラトランジスタＢｉｐ１のベースとローカル入力信号の間の接続ノードに接続され、他端に変調入力信号が入力される。変調入力信号が抵抗Ｒ２２、Ｒ２３を介してバイポーラトランジスタＢｉｐ１、Ｂｉｐ２のベースに入力されるので、バイポーラトランジスタＢｉｐ１、Ｂｉｐ２を流れる電流は、変調入力信号の信号レベルに応じて変化する。
【００３２】
上述したように、本実施例のＡＳＫ変調回路では、バイポーラトランジスタＢｉｐ２のベースとローカル入力信号の間の接続ノードに接続され、他端に変調入力信号が入力される抵抗Ｒ２２、及びバイポーラトランジスタＢｉｐ１のベースとローカル入力信号の間の接続ノードに接続され、他端に変調入力信号が入力される抵抗Ｒ２３が設けられ、ローカル入力信号の信号レベルが変調入力信号の信号レベルに応じて変化する増幅部３ｄと、増幅部３ｄから出力された信号を入力し、変調入力信号を入力する電流源ＧＥＮ２から供給される入力電流によりローカル入力信号の信号レベルを振幅変調し、ＲＦ変調出力として出力するバイポーラトランジスタ構成の振幅変調部２ａが設けられている。このため、変調入力信号の信号レベルが大きい場合、増幅部３ｄでローカル入力信号の信号レベルが変調入力信号の信号レベルに応じて大きくなるので、変調出力歪を抑制することができる。また、変調入力信号の信号レベルが小さい場合、増幅部３ｄでローカル入力信号の信号レベルが変調入力信号の信号レベルに応じて小さくなり、必要以上のローカル入力信号が振幅変調部２ａに入力されないので、変調度の低下を抑制することができる。  
このため、実施例１と同様な効果を有する。
【００３３】
本発明は、上記実施例に限定されるものではなく、発明の趣旨を逸脱しない範囲で、種々、変更してもよい。
【００３４】
例えば、実施例では、ＡＳＫ変調回路をＥＴＣの路上機に用いているがＧＨｚ以上の高速無線ＬＡＮ、やギガビットイーサ（（Ｒ））による無線接続などの分野にも適用できる。また、実施例３では、増幅部を２段構成にしているが３段以上の構成にしてもよい。
【００３５】
本発明は、以下の付記に記載されているような構成が考えられる。  
（付記１）  高電位側電源側にドレインが接続され、ゲートにローカル入力信号が入力され、ソースが低電位側電源側に接続された第１のＦＥＴと、前記高電位側電源側にドレインが接続され、ゲートに前記ローカル入力信号が入力され、ソースが前記低電位側電源側に接続された第２のＦＥＴを有し、前記第１及び第２のＦＥＴが差動対をなし、前記第１のＦＥＴのゲートと前記ローカル入力信号の間の接続ノードに変調入力信号が入力され、前記第２のＦＥＴのゲートと前記ローカル入力信号の間の接続ノードに前記変調入力信号され、前記変調入力信号の信号レベルに応じて増幅動作を行う増幅部と、前記変調入力信号を入力し、前記変調入力信号の信号レベルに応じて入力電流を発生する電流源と、ゲートに前記第２のＦＥＴのドレイン側から出力された出力信号を入力し、ソースが前記電流源に接続された第３のＦＥＴと、ゲートに前記第１のＦＥＴのドレイン側から出力された出力信号を入力し、ソースが前記電流源に接続された第４のＦＥＴを有し、前記第３及び第４のＦＥＴが差動対をなし、前記電流源の入力電流レベルに応じて振幅変調動作を行い、変調出力を出力する振幅変調部とを具備するＡＳＫ変調回路。
【００３６】
（付記２）  前記ローカル入力信号はＧＨｚ以上であり、前記変調入力信号はＤＡＣによりデジタル変調信号がアナログ変換されたものである付記１に記載のＡＳＫ変調回路。
【図面の簡単な説明】
【００３７】
【図１】本発明の実施例１に係るＡＳＫ変調回路を示すブロック図。
【図２】本発明の実施例１に係る変調入力信号及び入力電流波形を示す図。
【図３】本発明の実施例１に係るＡＳＫ変調回路の出力波形を示す図。
【図４】本発明の実施例２に係るＡＳＫ変調回路を示す回路図。
【図５】本発明の実施例３に係るＡＳＫ変調回路を示す回路図。
【図６】本発明の実施例４に係るＡＳＫ変調回路を示す回路図。
【符号の説明】
【００３８】
１、１ａ、１ｂ  ＡＳＫ変調回路
２、２ａ  振幅変調部
３、３ａ  増幅部
３ｂ  １段目の増幅部
３ｃ  ２段目の増幅部
４  ＰＬＬ
５  ＶＣＯ
６  ＬＰＦ
７  Ｔｘ部（送信部）
Ｂｉｐ１〜４、Ｂｉｐ１１〜１４  バイポーラトランジスタ
ＧＥＮ１〜４  電流源
Ｒ１、Ｒ２、Ｒ１１〜１４、Ｒ２１〜Ｒ２３  抵抗
Ｖｃｃ  高電位側電源
Ｖｓｓ  低電位側電源
【図１】
2006067467.tif 000003
【図２】
2006067467.tif 000004
【図３】
2006067467.tif 000005
【図４】
2006067467.tif 000006
【図５】
2006067467.tif 000007
【図６】
2006067467.tif 000008